(57)【特許請求の範囲】
【請求項１】
種類の異なる内容物をそれぞれ充填する並列配置になる2つの空間領域を備えたシリンジと、このシリンジの各空間領域内にて摺動可能に配置され、内容物をシリンジの先端に設けた筒体に向けてそれぞれ押圧するピストンと、このピストンを支持するとともにその後端部分を鍔部にて一体連結して同期操作を可能としたプランジャーと、前記シリンジの先端部に配置され、シリンジの筒体を通して押し出された内容物を外界へ向けて排出する注出ノズルとを備え、
前記注出ノズルは、シリンジの各筒体につながる通路を有するベースと、このベースの天壁に設けられ、ベースの各通路を合流させてその内部にて内容物の出側通路を形成する単一の細径筒体からなり、
前記ベースの対向側壁に、シリンジの外側壁に連係する爪部を有し該注出ノズルをシリンジに固定保持する弾性舌片を設け、
前記シリンジに、弾性舌片をシリンジの外側壁から引き離して爪部との連係を解除するレバーを設けたことを特徴とする2連式注出器。
【請求項２】
前記レバーは、シリンジの外側壁に設けられたフレームと、このフレームに揺動可能に支持され、弾性舌片とシリンジとの相互間に介在する先端部を引き起こして弾性舌片をシリンジの外側壁から引き離す操作片からなる請求項1記載の2連式注出器。
【発明の詳細な説明】
【技術分野】
【０００１】
本発明は、種類の異なる内容物を使用直前で混合、排出するのに適した2連式注出器に関するものである。
【背景技術】
【０００２】
歯科診療等においては、充填剤や接着剤等、粘性の高いペースト状の材料が頻繁に使用されており、通常は、プランジャーを押圧して細径のノズルから該材料を注出する注射器タイプの注出器が使用されている。
【０００３】
係る注出器は、シリンダーに充填した内容物を複数回に分けて注出するのが普通（材料を一度の治療でもって使い切ることはない。）であるが、近年では、種類の異なる材料をノズル部において混合して使用する商品も開発されてきており、これに対応する注出器として2連タイプの注出器が多数提案されている（例えば、特許文献1参照）ところ、この種の注出器にあっては、混合された内容物がノズル部において残存するのが避けられないため、使用状態のままで注出器を保管した場合に、残存した材料がノズル部内で固化してしまうことがあり、次回の使用に際しては内容物を注出することができないおそれがあった。
【特許文献１】特開2003-341749号公報
【発明の開示】
【発明が解決しようとする課題】
【０００４】
本発明の課題は、上記のような従来の問題を回避し得る新規な2連式注出器を提案するところにある。
【課題を解決するための手段】
【０００５】
本発明は、種類の異なる内容物をそれぞれ充填する並列配置になる2つの空間領域を備えたシリンジと、このシリンジの各空間領域内にて摺動可能に配置され、内容物をシリンジの先端に設けた筒体に向けてそれぞれ押圧するピストンと、このピストンを支持するとともにその後端部分を鍔部にて一体連結して同期操作を可能としたプランジャーと、前記シリンジの先端部に配置され、シリンジの筒体を通して押し出された内容物を外界へ向けて排出する注出ノズルとを備え、
前記注出ノズルは、シリンジの各筒体につながる通路を有するベースと、このベースの天壁に設けられ、ベースの各通路を合流させてその内部にて内容物の出側通路を形成する単一の細径筒体からなり、
前記ベースの対向側壁に、シリンジの外側壁に連係する爪部を有し該注出ノズルをシリンジに固定保持する弾性舌片を設け、
前記シリンジに、弾性舌片をシリンジの外側壁から引き離す向きに押し上げて爪部との連係を解除するレバーを設けたことを特徴とする2連式注出器である。
【０００６】
上記の2連式注出器において、前記レバーは、シリンジの外側壁に設けられたフレームと、このフレームに揺動可能に支持され、弾性舌片とシリンジとの相互間に介在する先端部を引き起こして弾性舌片をシリンジの外側壁から引き離す操作片にて構成するのが好ましい。
【発明の効果】
【０００７】
レバーの操作のみで注出ノズルをシリンジから取り外すことが可能なので使用後における注出ノズルの洗浄を速やかに実施することによりズル内部に残存する内容物を確実に取り除くことができる。
【０００８】
また、注出ノズルを取り外したシリンジの筒体にレフィルタイプのキャップを取り付けておくことにより内容物の品質を長期間安定的に保持できる。
【発明を実施するための最良の形態】
【０００９】
以下、図面を参照して本発明をより具体的に説明する。
図1〜5は本発明にしたがう2連式注出器の実施の形態を示したものであり、図1は正面図（中心線を境にして紙面左側が外観を示しており、右側が断面を示している。）、図2は図1の右側の側面図（中心線を境にして紙面左側が外観を示しており、右側が図1のX-X断面を示している。）、図3は図1の平面図、図4は注出ノズルの外観斜視図、そして図5はシリンジの先端部の外観斜視図である。
【００１０】
図における番号1はシリンジである。このシリンジ1は種類の異なる内容物をそれぞれ充填する並列配置になる2つの空間領域M１、M２（図1、図2参照）を備えた単一部材からなっている。シリンジ1の先端部には空間領域M１、M２につながる筒体1a、1bが形成されており、その末端にはプランジャーを挿入する開口1c、1dが形成されている。
【００１１】
また、2a、2bはシリンジ1の空間領域M１、M２内に摺動可能に配置されたピストン、3a、3bはピストン2a、2bを支持するプランジャー、4はプランジャー3a、3bの後端部分を一体連結して該プランジャー3a、3bの同期操作（同時押し込み）を可能とする鍔部、5はシリンジ1の筒体1a、1bを通して押し出された内容物を外界へ向けて排出する注出ノズルである。
【００１２】
注出ノズル5はシリンジ1の筒体1a、1bを取り囲むベース5aと、このベース5aの天壁5a１に一体連結して内容物の出側通路を形成する単一の細径筒体5bからなる。ベース5a内にはシリンジ1の筒体1a、1bにつながる通路S１、S２が設けられており（図1、2参照）、細径筒体5bの出側通路の入口（細径筒体5bの最下端）で合流している。
【００１３】
6は細径筒体5bの出側通路内に配置されたスクリュー状のミキシング部材である。シリンジ1の各空間領域M１、M２内から押し出された内容物は細径筒体5bを通過する間にミキシング部材6により混合されてその先端部から外界へと排出される。
【００１４】
さらに、7a、7bはベース5aの対向位置の下端に設けられた弾性舌片である（図2、4参照）。この弾性舌片7a、7bはその内壁面の上部にシリンジ1の先端部に形成した突起1ｅ、1ｆ（図5参照）に係合して注出ノズル5をシリンジ1に固定保持する爪部7a１、7b１を有している。
【００１５】
8a、8bは注出ノズル5を取り外すためのレバーである。このレバー8a、8bはシリンジ1の外側壁に設けられたフレーム8a１、8b１と、このフレーム8a１、8b１にばね片Pを介して弾性支持される操作片8a２、8b２からなっている（図1、5参照）。操作片8a２、8b２はシリンジ1の幅方向中央の外側壁に一体に設けられた突起tを支点に揺動可能になっており、該操作片8a２、8b２の先端部8a２′、8b２′は弾性舌片7a、7bとシリンジ1の外側壁との相互間に位置している。
【００１６】
さらに、9はプランジャー3bの外表面にその軸芯に沿って設けられた凹凸（図2参照）、10はシリンジ1に設けられた弾性片である（図1参照）。この弾性片10の下端部の内壁面には凹凸9に適合する爪部10aが設けられており、プランジャー3a、3bの操作（押し込み操作）に際して該爪部10aを凹凸9に沿ってスライドさせることによりクリック感、クリック音を発生させる（クリック感、クリック音の回数を把握することで定量注出を可能とする。）。
【００１７】
上記の構成になる2連式注出器は、弾性舌片7a、7bの爪部7a１、7b１を、シリンジ1の先端部に設けた突起1e、1ｆに係合させるだけで注出ノズル5をシリンジ1に装着することが可能であり、また、レバー8a、8bの操作片8a２、8b２を図6（図1のY-Y断面の要部拡大図）に示すように押圧するとともに注出ノズル7a、7bを引き上げるのみで該注出ノズル5を取り外すことができ、注出ノズル5の洗浄を簡単に行い得る。
【００１８】
前記弾性舌片7a、7bはそれぞれ異なる幅h１、h２（図4参照）とし、フレーム9a１、9b１の間口W１、W２（図5参照）を該弾性舌片7a、7bの幅h１、h２に応じた寸法に設定しておくことにより注出ノズル5の位置合わせ（位置合わせとは、注出ノズル5を取り付ける向けを常に一定とすることをいうものとする。すなわち、通路S１で筒体1aを嵌合させ、通路S２で筒体1bを嵌合させることをいうものとする。）が可能となる。注出ノズル5の位置合わせは弾性舌片7a、7bの厚さを変更することにより対応してもよい。
【００１９】
シリンジ1内の内容物の品質を長期にわたって維持するためには図7（a）（b）に示すようなレフィルタイプのキャップを取り付けてシリンジ1の筒体1a、1bの先端開孔を密封する。
【００２０】
上掲図7（a）（b）に示したキャップはシリンジ1a、1bに嵌合する凹部11、12を備えたものであり、細径筒体5bを有しない他は基本的には注出ノズル5と同様の構成となる。
【産業上の利用可能性】
【００２１】
注出ノズルの着脱を簡便かつ迅速に行うことができる2連式注出器が提供できる。
【図面の簡単な説明】
【００２２】
【図１】本発明にしたがう2連式注出器の正面図である。
【図２】図1に示した注出器の側面図（断面部分は図1のX-X断面）である。
【図３】図1の平面を示した図である。
【図４】図1に示した注出ノズルの外観斜視図である。
【図５】図1に示したシリンジの先端部の外観斜視図である。
【図６】図1に示した注出キャップの取り外し状況を示した図である（図1のY-Y断面の要部拡大図）。
【図７】(a)は本発明に適用し得るキャップの側面を示した図であり、（b）は（a）のA-A断面を示した図である。
【符号の説明】
【００２３】
1  シリンジ
2a、2b  ピストン
3a、3b  プランジャー
4  鍔部
5  注出ノズル
6  ミキシング部材
7a、7b  弾性舌片
8a、8b  レバー
8a１、8b１  フレーム
8a２、8b２  操作片
9  凹凸
10  弾性片
11  凹部
12  凹部
M１、M２  空間領域
S１、S２  通路
【図１】
0004878011.tif 000002
【図２】
0004878011.tif 000003
【図３】
0004878011.tif 000004
【図４】
0004878011.tif 000005
【図５】
0004878011.tif 000006
【図６】
0004878011.tif 000007
【図７】
0004878011.tif 000008